(57)【要約】      （修正有）【課題】建物の開口部に設けられる引戸の施錠装置に関するもので、簡単な構造で、安価に製作でき、操作性が確実な施錠装置を提供する。【解決手段】施錠機構３を組み込んだ戸本体１と、戸本体１の外側に固定して上記施錠機構３を操作する施錠操作機構からなる施錠装置であって、上記施錠機構３は、施錠操作機構の操作に伴って回動する駆動用リンク部材５と、駆動用リンク部材５の回動運動を上下運動に変換する作動変換部材６と、作動変換部材６と連結されて上下動し、戸本体１を施開錠する施錠杆７より構成され、作動変換部材６は、駆動用リンク部材５に設けられた係止突部が係合するＬ形係合孔を有し、開閉方向に移動可能で且つ昇降自在に戸本体１に保持されているものである。【選択図】   図１
2009102856.tif 000002
【特許請求の範囲】
【請求項１】
施錠機構を組み込んだ戸本体と、戸本体の外側に固定して上記施錠機構を操作する施錠操作機構からなる施錠装置であって、上記施錠機構は、施錠操作機構の操作に伴って回動する駆動用リンク部材と、駆動用リンク部材の回動運動を上下運動に変換する作動変換部材と、作動変換部材と連結されて上下動し、戸本体を施開錠する施錠杆より構成され、作動変換部材は、駆動用リンク部材に設けられた係止突部が係合するL形係合孔を有し、開閉方向に移動可能で且つ昇降自在に戸本体内に保持され、Ｌ形係合孔は、係合突部の直径よりやや大きい高さ寸法で、戸本体の開閉方向を向く水平孔と、水平孔の戸尻側端部で、水平孔の上端縁よリ、係合突部の直径よりやや大きい横幅寸法で、係合突部の直径よりやや小さい高さ寸法で連設された上部係合孔より形成されている事を特徴とする施錠装置。
【発明の詳細な説明】
【技術分野】
【０００１】
本発明は、建物の開口部に設けられる引戸の施錠装置に関するものである。
【背景技術】
【０００２】
従来、上記施錠装置は、戸本体に組み込まれたロック機構と、ロック機構を操作する錠機構よりなり、ロック機構は、錠機構により回動されるカムと、カムの突起に係合する切欠を有する進退部材からなっている。そして、進退部材に連結棒が連結され、この連結棒が建物の係合孔に係脱するロックピンに連結している。（例えば、特許文献１参照。）
そして、カムの突起は切欠に係合しているだけであるから、操作に確実性が乏しくなり、確実性を向上させるために、カムの突起が切欠に係合した状態から逸脱しないよう、カムの回転中心と同心の弧状孔をカムに形成し、カムの回転範囲を限定する必要があり、そのため、構造が複雑になり、高価となる欠点があった。
【０００３】
【特許文献１】特開平２−４７４７９号公報
【発明の開示】
【発明が解決しようとする課題】
【０００４】
本発明は、従来の問題点に鑑みて、簡単な構造で、安価に製作でき、操作性が確実な施錠装置を提供することを課題とする。
【課題を解決するための手段】
【０００５】
そこで、上記課題を解決する為、本発明が第１の手段として構成したところは、施錠機構を組み込んだ戸本体と、戸本体の外側に固定して上記施錠機構を操作する施錠操作機構からなる施錠装置であって、上記施錠機構は、施錠操作機構の操作に伴って回動する駆動用リンク部材と、駆動用リンク部材の回動運動を上下運動に変換する作動変換部材と、作動変換部材と連結されて上下動し、戸本体を施開錠する施錠杆より構成され、作動変換部材は、駆動用リンク部材に設けられた係止突部が係合するL形係合孔を有し、開閉方向に移動可能で且つ昇降自在に戸本体内に保持され、Ｌ形係合孔は、係合突部の直径よりやや大きい高さ寸法で、戸本体の開閉方向を向く水平孔と、水平孔の戸尻側端部で、水平孔の上端縁よリ、係合突部の直径よりやや大きい横幅寸法で、係合突部の直径よりやや小さい高さ寸法で連設された上部係合孔より形成されているものである。
【発明の効果】
【０００６】
請求項１に記載の発明によると、作動変換部材にはL形係合孔を設け、駆動用リンク部材には係止突部を設けるだけの簡単な構成であるから安価に製作できる。
又、施錠時にはL形係合孔の上部係合孔に係止突部が係合し、開錠時は水平孔の戸尻側端部に係止突部が位置するので、操作中に係止突部が作動変換部材から逸脱する恐れがないので、開施錠が確実且つ円滑に行うことができると共に、駆動用リンク部材の回動範囲を規制する部材を設ける必要がなくコストダウンが図れる。
さらに、作動変換部材は開閉方向に移動可能に保持され、水平孔が戸本体の開閉方向に設けられているので、駆動用リンク部材の回動に伴う係止突部の開閉方向の移動距離に対して、作動変換部材の移動距離、及び水平孔の長さが小さくてすむので、作動変換部材を含む施錠機構をコンパクトに形成することができる。
【発明を実施するための最良の形態】
【０００７】
施錠機構を組み込んだ戸本体と、戸本体の外側に固定して上記施錠機構を操作する施錠操作機構からなる施錠装置であって、上記施錠機構は、施錠操作機構の操作に伴って回動する駆動用リンク部材と、駆動用リンク部材の回動運動を上下運動に変換する作動変換部材と、作動変換部材と連結されて上下動し、戸本体を施開錠する施錠杆より構成され、作動変換部材は、駆動用リンク部材に設けられた係止突部が係合するL形係合孔を有し、開閉方向に移動可能で且つ昇降自在に戸本体内に保持され、Ｌ形係合孔は、係合突部の直径よりやや大きい高さ寸法で、戸本体の開閉方向を向く水平孔と、水平孔の戸尻側端部で、水平孔の上端縁よリ、係合突部の直径よりやや大きい横幅寸法で、係合突部の直径よりやや小さい高さ寸法で連設された上部係合孔より形成されているものである。
【実施例】
【０００８】
以下、第１実施例を添付図面に基づいて詳述する。
図１において、符号１は戸本体を示し、符号２は戸本体１の戸先側内部に連結される錠箱を示し、符号３は錠箱２と、戸本体１に組み込まれる施錠機構を示し、符号４は、施錠機構３を操作する施錠操作機構を示している。
【０００９】
戸本体１は、室内側と室外側に対向し所定間隔を有して配設された室内側表面版１１と、室外側表面版１２と、室内側表面板１１と室外側表面版１２間の戸先側端部内に設けられた戸先側が開口する横断面略コ字形の前補強材１３と、前補強材の戸尻側で、前記施錠操作機構４が位置する箇所に設けられた戸先側が開口する横断面コ字形の施錠機構連結補強材１４等を有し、上端部に設けられた吊り座が、固定側部部材のレール材に開閉方向に移動自在に吊り下げられている。
尚、符号１５は戸本体１の戸先側端面に着脱自在に設けられた戸当たり部材を示している。
【００１０】
戸本体１の戸先側内部に連結される錠箱２は、室内側内箱２１と室外側外箱２２の互いの開口側を重合して連結され内部に所定空間を形成した、戸先側端部が開放する扁平縦長箱状に形成され、戸尻側端部が施錠機構連結補強材１４に形成された錠箱嵌合孔１４１に嵌合し、戸先側端部が上下端部に設けられた錠箱上下連結座２２１、２２２を介して、前補強材１３に連結されている。
【００１１】
そして、錠箱２と戸本体１の戸先側には施錠機構３が組み込まれている。
施錠機構３は、施錠操作機構４の操作に伴って回動する駆動用リンク部材５と、駆動用リンク部材５の回動運動を上下運動に変換する作動変換部材６と、作動変換部材６と連結されて上下動し、戸本体１を施開錠する施錠杆７より構成されている。
【００１２】
駆動用リンク部材５は、室内側端部と室外側端部が、室内側内箱２１と室外側外箱２２に形成された回動保持孔に回動自在に保持され、中心部に施錠操作機構４の一部が嵌入係合する操作用係合孔５１１を有する回動軸５１と、回動軸５１の周端面の一部から、半径方向で外方に突出する駆動腕５２と、駆動腕５２の先端部に
作動変換部材６側に突出して形成された円柱形の係合突部５２１と、回動中心から９０度の角度をもって形成された２つの施錠時嵌合凹部５３１と開錠時嵌合凹部５３２を有し、駆動腕５２の対向側の周端面に形成されたラッチ受け部５３より、合成樹脂材等にて一つの部材として一体に成型されて構成されている。
符号５４は、板バネ材より形成されたラッチ部材を示し、ラッチ部材５４は、錠箱２内に連結され、戸本体１が施錠された時と開錠された時に、ラッチ受け部５３の施錠時嵌合凹部５３１、開錠時嵌合凹部５３２に弾性的に嵌合する弾性嵌合突部５４１を有している。
【００１３】
作動変換部材６は、前記駆動腕５２に設けられた係止突部５２１が係合するL形係合孔６５が形成された室外側基板６１と、施錠杆７が連結される戸先側基板６２と、戸先側基板６２の室内側端部で戸尻側に突出する室内側基板６３より、戸尻側が開口する横断面略コ字形に形成され、錠箱２内で室内側及び室外側への移動は阻止され、上下方向及び開閉方向には移動可能に錠箱２内に保持されている。
Ｌ形係合孔６５は、係合突部５２１の直径よりやや大きい高さ寸法で、戸本体１の開閉方向に係合突部５２１の直径の２．５倍弱の水平孔６５１と、水平孔６５１の戸尻側端部で、水平孔６５１の上端縁よリ、係合突部５２１の直径よりやや大きい横幅寸法で、係合突部５２１の直径よりやや小さい高さ寸法で連設された上部係合孔６５２より構成されている。
【００１４】
施錠杆７は、戸本体１の上端面から上方に突出し、固定側部材に形成された施錠孔（図示せず。）に係脱自在で、戸本体１の上端に形成された上端支持部材７１に上下動自在に保持される上部施錠杆７２と、上部施錠杆７２の下端部が上端部に連結され、錠箱２の室外側外箱２２の戸先側端部の室外側に位置する上部施錠杆連結部７３と、上部施錠杆連結部７３の戸先側の端部から室内側に突出し、前記 作動変換部材６の戸先側基板６２に連結される作動変換部材連結部７４より横断面Ｌ字形に形成された下部施錠杆７５より構成されている。
【００１５】
下部施錠杆７５は、前補強材１３に取付けられた上部昇降保持部材７６と下部昇降保持部材７７を貫通して昇降自在で、少なくとも作動変換部材６が連結される箇所では、開閉方向の所定範囲で作動変換部材６と共に移動可能に保持されている。
実施例では、上部昇降保持部材７６と下部昇降保持部材７７に下部施錠杆７５の断面形状に対応した形状の施錠杆貫通孔７７１が形成されている。
施錠杆貫通孔７７１は、上部施錠杆連結部７３が貫通する開閉向き貫通孔７７２と、開閉向き貫通孔７７１の戸先側端部に連続して形成された、作動変換部材連結部７４が貫通する前後向き貫通孔７７３より略逆Ｌ字形に形成され、前後向き貫通孔７７３の開閉方向の大きさは、作動変換部材連結部７４の厚み寸法の略２倍強に形成され、施錠杆７は、上端支持部材７１に支持された箇所を中心として、所定範囲で下方が揺動可能となっている。
すなわち、施錠杆７と連結されている作動変換部材６は、開閉方向に移動可能で且つ昇降自在に戸本体１内に保持される事となる。
【００１６】
施錠操作機構４は、駆動用リンク部材５を回動させる錠付きの錠機構４０を室外側に備え、駆動用リンク部材５を回動させ、錠機構４０と連動するハンドル４１を室内側に備えている。
【００１７】
本発明は上記の如く構成され、第１図に示す施錠状態において、係合突部５２１は上部係合孔６５２に係合し、ラッチ部材５４の弾性嵌合突部５４１が駆動用リンク部材５の施錠時嵌合凹部５３１に嵌合しているので、この弾性力によって、施錠杆７の重量を支持するので駆動用リンク部材５が回動する事はなく、施錠状態が維持される。
又、ラッチ部材５４を設けていない場合であっても、施錠杆７の自重による垂直方向への移動は、駆動用リンク部材５を図１において、反時計廻りの方向への回動となるので、作動変換部材６は戸先側下方に若干移動する事により、駆動用リンク部材５も回動し、上部係合孔６５２と係止突部５２１はより密に嵌合し、且つ施錠杆７は下部昇降保持部材７７の貫通孔７７１の戸先側端面に当接しているので、係合孔６５２と係止突部５２１はいわゆる互いに突っ張った状態となり施錠状態は維持される。
【００１８】
そして、図１に示す施錠状態で、室内側あるいは室外側から、駆動用リンク部材５を図１で反時計廻り（開錠方向）に回動させると、係止突部５２１が上部係合孔６５２の戸先側面に押付けられ、下部昇降保持部材７７に形成された貫通孔７７１が下部施錠杆７５の厚みより所定寸法開閉方向に大き目に形成されているので、施錠杆７と作動変換部材６は、戸先側に若干移動し、同時に係合突部５２１も若干回動して、上部係合孔６５２の戸先側下方に位置し（図２、図図６に示す。）さらに、駆動用リンク部材５の回動によって、駆動腕５２の水平姿勢（図３、図７に示す。）から、駆動腕５２が最も下方に回動し、施錠杆７及び作動変換部材６も最も下降し、且つ、最も戸尻側に移動することで、固定側部材に形成された施錠孔（図示せず。）から施錠杆７の上端が抜け出した開錠状態（図４、図８に示す。）となり同時に、ラッチ受け部５３の開錠時嵌合凹部５３２が、ラッチ部材５４の弾性嵌合突部５４１と弾性的に嵌合し、開錠時の操作確認が行われる。
【００１９】
次に、施錠する場合、上記とは逆に、室内側あるいは室外側から駆動用リンク部材５を、図８で時計廻りに回動させると、係止突部５２１が上部係合孔６５２の戸先側下端面に押付けられる。すると、下部昇降保持部材７７に形成された貫通孔７７１が下部施錠杆７５の厚みより所定寸法開閉方向に大き目に形成されているので、施錠杆７と作動変換部材６は、戸先側に若干移動しつつ上昇し、同時に係合突部５２１も水平孔６５１の戸先側に位置し、さらに、駆動用リンク部材５の回動によって、駆動腕５２は水平姿勢から、上方に最も回動して、係合突部５２１が上部係合孔６５２に係合し、施錠杆７及び作動変換部材６が最も上昇し、且つ、最も戸尻側に移動した状態となり、施錠杆７の上端が固定側部材に形成された施錠孔（図示せず。）に施錠杆７の上端が係合した施錠錠状態（図１、図５に示す。）となり同時に、ラッチ受け部５３の施錠時嵌合凹部５３１が、ラッチ部材５４の弾性嵌合突部５４１と弾性的に嵌合し、施錠時の操作確認が行われる。
【図面の簡単な説明】
【００２０】
【図１】本発明の施錠状態を示す要部縦断面図
【図２】本発明の開錠操作の初期状態を示す要部縦縦断面図
【図３】本発明の開錠操作の途中状態を示す要部縦縦断面図
【図４】本発明の開錠状態を示す要部縦縦断面図
【図５】図１のＣ部拡大図
【図６】図２のD部拡大図
【図７】図３のＥ部拡大図
【図８】図４のＦ部拡大図
【図９】図１のＡ−Ａ線拡大断面図
【図１０】図２のＢ−Ｂ線拡大断面図
【図１１】本発明の要部横拡大断面図
【符号の説明】
【００２１】
１        戸本体
２        錠箱
３        施錠機構
４        施錠操作機構
５        駆動用リンク部材
５２      駆動腕
５２１    係合突部
６        作動変換部材
６５      Ｌ形係合孔
６５１    水平孔
６５２    上部係合孔
７        施錠杆
【図１】
2009102856.tif 000003
【図２】
2009102856.tif 000004
【図３】
2009102856.tif 000005
【図４】
2009102856.tif 000006
【図５】
2009102856.tif 000007
【図６】
2009102856.tif 000008
【図７】
2009102856.tif 000009
【図８】
2009102856.tif 000010
【図９】
2009102856.tif 000011
【図１０】
2009102856.tif 000012
【図１１】
2009102856.tif 000013